(57)【要約】【課題】カメラから付属装置に電磁誘導による電力供給を行うカメラシステムを提供する。【解決手段】カメラＨと、カメラに対して着脱可能に装着される付属装置Ｌとを有するカメラシステムにおいて、カメラに設けられた給電手段１０５ｆと付属装置に設けられた受電手段１０５ｅとの間での電磁誘導により受電手段に電力を発生させ、該電力の一部を付属装置の駆動系１０２に供給し、他を付属装置の制御系１０１に供給する【選択図】  図１
2004187418.tif 000002
【特許請求の範囲】
【請求項１】
カメラと、前記カメラに対して着脱可能に装着される付属装置とを有するカメラシステムであって、
前記カメラに設けられた給電手段と前記付属装置に設けられた受電手段との間での電磁誘導により前記受電手段に電力を発生させ、該電力の一部を前記付属装置の駆動系に供給し、他を前記付属装置の制御系に供給することを特徴とするカメラシステム。
【発明の詳細な説明】
【０００１】
【発明の属する技術分野】
本発明は、カメラとこのカメラに対して着脱可能な交換レンズやストロボ等の付属装置からなるカメラシステムに関するものである。
【０００２】
【従来の技術】
通常、レンズ交換可能なカメラの電源システムは、カメラ本体に電源となる電池を搭載し、カメラ本体から交換レンズ（すなわち、カメラ付属装置）に所望の電力を供給する構成となっている。このときの電力供給はカメラ本体と交換レンズを結合するマウント部に設けられたそれぞれの接続端子を介して行うタイプのものがある。
【０００３】
しかしながら、このような接点式の電力供給を行うタイプの場合、レンズ交換を繰り返すことで接続端子の表面が磨耗して接触抵抗が増大してゆき、電力伝達の効率が悪くなり所望の電力供給がしにくくなる場合がある。また、屋外での撮影時等においては、結露や雨などにより接点部が短絡しカメラ本体や交換レンズの回路に過電流が流れ、機器の故障を招く場合もある。
【０００４】
上述の接触端子を介した電力伝達における問題を解決する手法として、例えば電磁誘導の原理を用いた無接点式の電力供給方法が提案されている（例えば、特許文献１参照。）。具体的には、カメラ本体側に設けられた一次側コイルへの通電により交換レンズ側に設けられた二次側コイルに電磁誘導による起電力を発生させ、この起電力を交換レンズの電源として利用するものである。
【０００５】
ところで、交換レンズ側で必要とする電源は、アクチュエータの駆動等に利用する駆動系電源と、マイコン等に利用する制御系電源の２つの系統があり、これら２つの系統の電源の特性は異っている。具体的に、駆動系電源では負荷の消費電力が比較的高く、電圧変動も激しい。一方、制御系電源では消費電力が少なく、誤動作を防止するために電圧値が常に略一定であることが望まれる。
【０００６】
無接点電力供給装置の電源電圧の制御については、例えば１次側に商用電源、２次側に蓄電装置を持つ無接点電力供給装置を対象としており、蓄電装置への供給電圧のみを制御する構成が開示されている（例えば、特許文献２参照。）。
【０００７】
【特許文献１】
特開平９−９０４６２号公報  （第２頁、第４図）
【特許文献２】
特開平７−３９０７７号公報  （第３頁、第１図）
【０００８】
【発明が解決しようとする課題】
上述のように、レンズ交換可能なカメラの電源システムでは、一般的には、カメラ本体側に配置される無接点電力供給装置の１次側が電池電源であり、交換レンズ側に配置される２次側は二系統電源となっている。
【０００９】
この他にも、複数個の無接点電力供給装置を用いて交換レンズ側に電力供給を行う方法も考えられるが、配置スペースやコストの面から好ましくない。
【００１０】
本発明は、電磁誘導を利用して付属装置の駆動系および制御系にカメラ側から適切な電力を供給できるようにしたカメラシステムを提供することを目的とするものである。
【００１１】
【課題を解決するための手段】
上記の目的を達成するために、本発明では、カメラと、カメラに対して着脱可能に装着される付属装置とを有するカメラシステムにおいて、カメラに設けられた給電手段と付属装置に設けられた受電手段との間での電磁誘導により受電手段に電力を発生させ、該電力の一部を付属装置の駆動系に供給し、他を付属装置の制御系に供給するようにしている。
【００１２】
【発明の実施の形態】
（第１実施形態）
図１には、本発明の第１実施形態であるカメラおよび付属装置からなるカメラシステムの構成を示している。本実施形態では、通信手段として発光ダイオードとフォトダイオードによる光通信を用いた場合を示している。
【００１３】
図１において、１０１はレンズマイコン（制御系）であり、カメラＨ側の発光ダイオード１０５ｃから発信される信号を交換レンズ（付属装置）Ｌ側のフォトダイオード１０５ａ（カメラから交換レンズへの信号伝達用）によりインターフェイス１１６を介して通信を受け、その指令値によって、フォーカスや絞りといった駆動系１０２を動作させる。交換レンズ内における制御動作を行っている。駆動系１０２のフォーカス駆動系では、レンズマイコン１０１からの指令値によって、焦点調節用のレンズを駆動してフォーカシングを行う。絞り駆動系では、レンズマイコン１０１からの指令値によって、絞りを設定された位置まで絞る動作または開放状態に復帰させる動作を行う。
【００１４】
また、上述のレンズマイコン１０１は、交換レンズＬ内の状態（フォーカス位置，絞り値の状態など）や、交換レンズＬに関する情報（開放絞り値，焦点距離，測距演算に必要なデータなど）をインターフェイス１１６を介して通信用の発光ダイオード１０５ｂ（交換レンズからカメラへの信号伝達用）からカメラ側のフォトダイオード１０５ｄに伝達することも行う。フォトダイオード１０５ｄにより受信されたレンズマイコン１０１からの信号は、カメラマイコン１０６に伝達される。なお、本実施形態の通信手段は、発光ダイオード１０５ｂおよびフォトダイオード１０５ｄを有して構成されている。
【００１５】
レンズ電気系１０４に対しては、カメラＨ側に設けられた給電コイル１０５ｆから交換レンズＬ側に設けられた受電コイル１０５ｅを介して電気的に非接触な状態で電磁誘導により電力供給が行われる。すなわち、これらコイル１０５ｆおよびコイル１０５ｅが電力供給手段としての役割を有している。
【００１６】
このレンズ電気系１０４では、交換レンズＬ内における駆動系１０２（アクチュエータ等）の駆動に必要な電圧値と、レンズマイコン１０１により構成される制御系で必要な電圧値とが異なるため、受電コイル１０５ｅに引き出し線を設けてこの受電コイル１０５ｅに２つの受電コイル部分を形成するとともに、引き出し線を設ける位置によって上記２つの受電コイル部分の巻き線比を調節し、駆動系１０２および制御系にそれぞれ適切な電圧を供給できるように構成している。このようにして、カメラＨ側から交換レンズＬ側に供給される電力の一部（一方の受電コイル部分にて発生した電力）を駆動系１０２に供給し、他（他方の受電コイル部分にて発生した電力）をレンズマイコン１０１に供給している。
【００１７】
駆動系１０２に供給される駆動系電源（電力）の電圧値は電圧検出部１０３により検出され、この検出値はレンズマイコン１０１から上記通信手段を介してカメラマイコン１０６に伝達される。交換レンズ１０４において、制御系であるレンズマイコン１０１に供給される電源（電力）の電圧値は、上記引き出し線と他方の受電コイル部分につながる制御系電源ライン中に設けられた電圧制御部１１４により制御され、常に略一定の電圧に保たれる。
【００１８】
カメラＨには、カメラ電気系１０８として、測距部１０９，測光部１１０，シャッタ部１１１，表示部１１２，その他の制御部１１３、およびこれらの動作開始，停止などの管理，露出演算，測距演算などを行うカメラマイコン１０６が内蔵されている。これらカメラ電気系１０８に対しての電力は、カメラＨ内に配置された電源電池１１５から供給される。コイル１０５ｆにより電磁誘導現象を利用して電気的に非接触な状態で行われるレンズ電気系１０４の受電コイル１０５ｅへの電力供給の制御は、電池１１５から給電コイル１０５ｆに印加する電圧を電圧調整部１０７によって調整することで行う。
【００１９】
具体的には、レンズマイコン１０１が検知した電圧検出値をカメラＨ側に送信させ、カメラマイコン１０６はこの送信された電圧値に基づいて電圧調整部１０７を制御する。これにより、給電コイル１０５ｆに印加する電圧が調整され、その結果、受電コイル１０５ｅに発生する電圧が調整される。
【００２０】
図２は、レンズ電気系１０４における電力受電の流れを説明するためのフローチャートである。
【００２１】
［ステップＳ２０１］
カメラ本体電気系１０８側に配置された電池１１５から供給され、コイル１０５ｆとコイル１０５ｅとの間での電磁誘導によりレンズ電気系１０４側に供給された電力は、電圧制御部１１４により電圧制御される。このようにして電圧制御を行うことにより、レンズ電気系１０４内で安定した制御系電源電圧が得られると、レンズマイコン１０１はＲＡＭのリセット動作や駆動系処理の初期設定等の各種初期動作を行う。
【００２２】
［ステップＳ２０２］
次に、レンズマイコン１０１は、駆動系電源ラインに接続された電圧検出部１０３を通じて駆動系電源電圧の検出を行う。
【００２３】
［ステップＳ２０３］
そして、レンズマイコン１０１は、ステップＳ２０２において検出された駆動系電源電圧値を示す信号を、発光ダイオード１０５ｂおよびフォトダイオード１０５ｄを通じてカメラマイコン１０６に送信する。
【００２４】
カメラマイコン１０６は、レンズ電気系１０４から送信されてきた電源電圧値に基づいて、レンズ電気系１０４へ供給すべき電力の調節を行う。この電力調節等の詳細については図３のフローチャートを用いて後に説明する。
【００２５】
［ステップＳ２０４］
レンズマイコン１０１は、カメラ電気系１０８からの指令等により、レンズ電気系１０４への電力供給が停止する場合にはステップＳ２０５に進む。一方、引き続きレンズ電気系１０４への電力供給を行う場合には、ステップＳ２０２からステップＳ２０４の動作を繰り返し、駆動系電源電圧値を示す信号を発光ダイオード１０５ｂおよびフォトダイオード１０５ｄを通じてカメラマイコン１０６に送信する。
【００２６】
［ステップＳ２０５］
電力供給が停止する前に、駆動系１０２の停止処理やレンズマイコン１０１のリセットなどの動作停止処理を行う。
【００２７】
図３はカメラＨにおける交換レンズＬへの電力供給動作の流れを説明するためのフローチャートである。
【００２８】
［ステップＳ３０１］
カメラマイコン１０６は、レンズ電気系１０４への電力供給開始後、発光ダイオード１０５ｂを通じてレンズ電気系１０４から送信されてくるレンズ電気系１０４の駆動系電源電圧を示す信号を、カメラ電気系１０８におけるフォトダイオード１０５ｄを通じて受信する。
【００２９】
［ステップＳ３０２］
カメラマイコン１０６は、交換レンズＬ側から受信した実際のレンズ駆動系の電源電圧と、本来必要としているレンズ駆動系電源電圧の目標値とを比較し、比較結果に差がある場合（ＮＧ）にはステップＳ３０３に移る。比較結果に差がない場合（ＯＫ）にはステップＳ３０４に進む。
【００３０】
［ステップＳ３０３］
カメラマイコン１０６は、交換レンズＬ側から受信した実際のレンズ駆動系電源電圧が、目標とするレンズ駆動系電源電圧値となるように、給電コイル１０５ｆに印加する電圧の調整を行う。
【００３１】
ここで、電圧調整部１０７は、スイッチングレギュレータの一部であり、トランジスタやＭＯＳＦＥＴ等のスイッチング素子のＯＮ、ＯＦＦの時間比率（デューティ比）をカメラマイコン１０６又は専用のコントローラで制御することで、給電コイル１０５ｆに印加する電圧を調整する。
【００３２】
［ステップＳ３０４］
カメラマイコン１０６は、引き続き、レンズ電気系１０４への電力供給を行うか否かを判断する。例えば、交換レンズＬをカメラＨに装着後、所定時間が経過した時点で使用者から撮影に関する操作がない場合には、節電のためにレンズ電気系１０４への電力供給を停止する。引き続き、レンズ電気系１０４への電力供給が必要であるならば、ステップＳ３０１からステップＳ３０４の処理を繰り返し行う。
【００３３】
図２および図３のフローチャートに示すように、本実施形態では、レンズ電気系１０４側で必要とする駆動系電源の電圧が目標電圧となるように給電コイル１０５ｆへの印加電圧が制御される。しかし、フォーカス駆動用アクチュエータや絞り駆動用アクチュエータの負荷状態によっては駆動系電源電圧の変動が大きくなる場合がある。このような場合、制御系の電源電圧も同一コアに巻かれている巻き線から引き出しているため、その電圧値が変動する。
【００３４】
そこで、図示のように制御系電源ラインに電圧制御部１１４を接続する。実際には、駆動系電源の電圧変動幅を加味し、必要とする制御系電源電圧よりも高い電圧を取り出せるように受電コイル１０５ｅに引き出し線を設け、シリーズレギュレータで降圧して所望の制御系電源電圧を取り出す。なお、図４に具体的な回路図の一例を示す。
【００３５】
図４中に示す４０３，４０４，および４０５は、それぞれ図１の電圧検出部１０３，電圧制御部１１４，および電圧調整部１０７に相当する。電池４０８からの入力電圧は、回路中のコンデンサＣ１、トランジスタＴｒ１、トランスに相当する送電コイル１０５ｆおよび受電コイル１０５ｅ、ダイオードＤ１、コンデンサＣ３を経て昇圧され、駆動系４０６に供給される。駆動系電源電圧はＲ１とＲ２の分圧によりレンズマイコン４０１が検出し、この検出した電圧値をカメラマイコン４０２に伝達する。カメラマイコン４０２では、この検出した電圧値に基づきＴｒ１のデューティを制御する。また、４０４はシリーズレギュレータを構成しているが、他のレギュレータでも構成可能であり、例えば昇降圧型スイッチングレギュレータを用いた場合、さらに電圧変動の影響を受けにくく、安定した電力を制御系に供給することが可能である。
【００３６】
（第２実施形態）
図５には、本発明の第２実施形態であるカメラおよび付属装置からなるカメラシステムについて説明する。本実施形態でも、第１実施形態と同様に、通信手段として発光ダイオードとフォトダイオードによる光通信を用いている。
【００３７】
本実施形態におけるカメラシステムは、第１実施形態の変形例であり、第１実施形態と共通する構成要素には、第１実施形態で用いた１００番台の符号を、下２桁が同じである５００番台の符号を用いて示している。る。
【００３８】
本実施形態は、交換レンズＬ’の制御系電源電圧（すなわち、レンズマイコン５０１に供給されている電力の電圧）を電圧検出部５１４を用いて検出し、この検出した電圧値を通信手段を介してカメラＨ’に伝達する点で第１実施形態と異なる。動作の詳細については図６および図７に示すフローチャートを用いて後述する。制御系電源は電圧制御部５０３により略一定の電圧値となるよう制御され、制御系であるレンズマイコン５０１に供給される。
【００３９】
図６は、レンズ電気系５０４における電力供給を受ける動作を説明するためのフローチャートである。
【００４０】
［ステップＳ６０１］
レンズマイコン５０１は、カメラ電気系５０８からの電力供給が開始され、電圧制御部５０３により安定した制御系電源電圧が得られるとすぐに、ＲＡＭのリセット動作や駆動系処理の初期設定等の各種初期化動作を行う。
【００４１】
［ステップＳ６０２］
レンズマイコン５０１は、制御系電源ラインに接続された電圧検出部５１４により制御系電源電圧を検出する。
【００４２】
［ステップＳ６０３］
レンズマイコン５０１は、ステップＳ６０２で検出した制御系電源の電圧値を示す信号を、発光ダイオード５０５ａおよびフォトダイオード５０５ｃを通じてカメラＨ’に送信する。カメラマイコン５０６は交換レンズＬ’側から送信された電源電圧値に基づいて、供給すべき電力の調節を行う。これについては図７を用いて後に説明する。
【００４３】
［ステップＳ６０４］
レンズマイコン５０１は、カメラ電気系５０８からの指示等によりレンズ電気系５０４への電力供給が停止する場合には、ステップＳ６０５に進む。引き続き電力供給がある場合には、ステップＳ６０２からステップＳ６０４の動作を繰り返し、制御系電源電圧値を含む情報をカメラＨ’に送信する。
【００４４】
［ステップＳ６０５］
電力供給が停止する前に、駆動系５０２の停止処理やレンズマイコン５０１のリセットなどの動作停止処理を行う。
【００４５】
図７は、カメラ電気系５０８におけるレンズ電気系５０４への電力供給を説明するためのフローチャートである。
【００４６】
［ステップＳ７０１］
カメラマイコン５０６は、レンズ電気系５０４への電力供給開始後、フォトダイオード５０５ｃを通じてレンズ電気系５０４から送信されてくるレンズ電気系５０４における制御系電源の電圧値を示す信号を受信する。
【００４７】
［ステップＳ７０２］
カメラ電気系５０８では、レンズ電気系５０４の駆動系電源の電圧値を制御する必要がある。したがって、カメラマイコン５０６は、受信した制御系電源の電圧値をレンズ電気系５０４の駆動系電源の電圧値に変換する。レンズ電気系５０４の二系統の電源は、コイルの巻き線比により電圧が決定されるため、この巻き数比を用いることで容易に制御系電源電圧から駆動系電源電圧への変換が可能である。
【００４８】
また、ステップＳ７０２に示す変換処理は、制御系電源の電圧値をレンズ電気系５０４にて検出した後に、レンズ電気系５０４内で駆動系電源の電圧値に変換するといった方法も可能である。
【００４９】
［ステップＳ７０３］
カメラマイコン５０６は、上述のようにして変換して得られた駆動系電源の電圧値と、レンズ駆動系が本来必要としている電圧値の目標値とを比較し、比較結果に差がある場合（ＮＧ）にはステップＳ７０４に移る。比較結果に差がない場合（ＯＫ）、すなわち目標値通りの値が得られている場合にはステップＳ７０５に進む。
【００５０】
［ステップＳ７０４］
カメラマイコン５０６は、変換して得られた駆動系電源の電圧値が目標とする駆動系電源の電圧値となるように、給電コイル５０５ｆに印加する電圧の調整を行う。
【００５１】
ここで、電圧調整部５０７は、スイッチングレギュレータの一部であり、トランジスタやＭＯＳＦＥＴ等のスイッチング素子のＯＮ、ＯＦＦの時間比率（デューティ比）をカメラマイコン５０６又は専用のコントローラで制御することで、給電コイル５０５ｆに印加する電圧を調整する。
【００５２】
［ステップＳ７０５］
次に、カメラマイコン５０６は、引き続きレンズ電気系５０４への電力供給を行うか否かを判断する。例えば、交換レンズＬ’をカメラＨ’に装着した後、所定時間後に使用者から撮影に関
する操作がない場合には、節電のためにレンズ電気系５０４への電力供給を停止する。引き続き交換レンズＬ’への電力供給が必要であるならば、ステップＳ７０１からステップＳ７０５まで
の処理を繰り返し行う。
【００５３】
駆動系電源の電圧値を検出する場合、検出する電圧値が高くなるため、電力容量を考慮すると電圧検出部が大きくなる。しかし、本実施形態では、制御系電源の電圧値を検出するため、検出する電圧値は比較的小さく、電圧検出部も小型化できるというメリットがある。
【００５４】
図６および図７のフローチャートに示すように、本実施形態では、レンズ電気系５０４側で必要とする駆動系電源の電圧が目標電圧となるように給電コイル５０５ｆへの印加電圧が制御される。しかし、フォーカス駆動や絞り駆動用アクチュエータの負荷状態によっては電圧変動が大きくなる場合がある。このような場合、制御系の電源電圧も同一コアに巻かれている巻き線から引き出しているため電圧値が変動する。
【００５５】
そこで、本実施形態では、図５に示すように、制御系電源ラインに電圧制御部５１４を接続する。実際には、駆動系電源の電圧変動幅を加味し、必要とする制御系電源電圧よりも高い電圧を取り出せるように受電コイル１０５ｅに引き出し線を設け、シリーズレギュレータで降圧して所望の制御系電源電圧を取り出す。なお、図８に具体的な回路図の一例を示す。
【００５６】
図８中に示す８０３，８０４，および８０５は、それぞれ図５の電圧検出部５１４，電圧制御部５０３，および電圧調整部５０７に相当する。電池８０８からの入力電圧は、回路中のコンデンサＣ１、トランジスタＴｒ１、トランスに相当する送電コイル５０５ｆおよび受電コイル５０５ｅ、ダイオードＤ１、コンデンサＣ３を経て昇圧され、駆動系８０６に供給される。駆動系電源電圧はＲ１とＲ２の分圧によりレンズマイコン８０１が検出し、この検出した電圧値をカメラマイコン８０２に伝達する。カメラマイコン８０２では、この検出した電圧値に基づきＴｒ１のデューティを制御する。また、８０４はシリーズレギュレータを構成しているが、他のレギュレータでも構成可能であり、例えば昇降圧型スイッチングレギュレータを用いた場合、さらに電圧変動の影響を受けにくく、安定した電力を制御系に供給することが可能である。
【００５７】
なお、上述した各実施形態では、カメラ本体電気系とレンズ電気系との間での通信手段が光通信による電気的に非接触な無接点通信である例を挙げているが、本発明はこれに限られるものではなく、電波や電磁誘導を利用した通信手段であってもよいし、電気的接点を介した通信手段であってもよい。
【００５８】
また、上記各実施形態では、付属装置として交換レンズを例に挙げて説明したが、本発明にいう付属装置は、交換レンズ以外にも、ストロボ装置等、様々な付属装置を含む。
【００５９】
さらに、以上説明した各実施形態は、以下に示す各発明を実施した場合の一例に過ぎず、下記の各発明は上記各実施形態に様々な変更や改良が加えられて実施されるものである。
【００６０】
〔発明１〕
カメラと、前記カメラに対して着脱可能に装着される付属装置とを有するカメラシステムであって、
前記カメラに設けられた給電手段と前記付属装置に設けられた受電手段との間での電磁誘導により前記給電手段に電力を発生させ、該電力の一部を前記付属装置の駆動系に供給し、他を前記付属装置の制御系に供給し、
前記付属装置に、前記制御系に供給される電圧を略一定に保つ電圧制御手段が設けられていることを特徴とするカメラシステム。
【００６１】
これによれば、付属装置における駆動系の動作による電気的な負荷の変動が生じても、制御系に供給される電圧値が略一定に保たれるため、制御系の誤動作を抑制することができる。
【００６２】
〔発明２〕
前記給電手段および前記受電手段がコイルにより構成されており、前記受電手段としてのコイルに引き出し線を設け、該引き出し線によって分割された２つのコイル部分の一方に生じた電力を前記駆動系に、他方に生じた電力を前記制御系に供給することを特徴とする発明１に記載のカメラシステム。
【００６３】
〔発明３〕
前記カメラと前記付属装置との間で通信を行うための通信手段を設けるとともに、前記付属装置に前記駆動系に供給されている電圧を検知する電圧検知手段を設け、
前記カメラに、前記付属装置側から前記通信手段によって送信された、前記電圧検出手段による検出結果に応じて前記給電手段に印加する電圧を調整する電圧調整手段が設けられていることを特徴とする発明１又は２に記載のカメラシステム。
【００６４】
〔発明４〕
前記カメラと前記付属装置との間で通信を行うための通信手段を設けるとともに、前記付属装置に前記制御系に供給されている電圧を検知する電圧検知手段を設け、
前記カメラに、前記付属装置側から前記通信手段によって送信された、前記電圧検出手段による検出結果に応じて前記給電手段に印加する電圧を調整する電圧調整手段が設けられていることを特徴とする発明１又は２に記載のカメラシステム。
【００６５】
これら発明３，４により、付属装置の駆動系への供給電圧の検知結果又は制御系への供給電圧の検知結果（駆動系への供給電圧の換算値）に基づいて給電手段への印加電圧を調整し、受電手段にて発生する電圧を制御することにより、駆動系への供給電圧のフィードバック制御を行うことができる。
【００６６】
〔発明５〕
カメラに対して着脱が可能に装着されるカメラの付属装置であって、
前記カメラに設けられた給電手段との間での電磁誘導により電力を発生する受電手段を有し、該受電手段に発生した電力の一部を前記付属装置の駆動系に供給し、他を前記付属装置の制御系に供給し、
前記制御系に供給される電圧を略一定に保つ電圧制御手段が設けられていることを特徴とするカメラの付属装置。
【００６７】
〔発明６〕
前記受電手段がコイルにより構成されており、該コイルに引き出し線を設け、該引き出し線によって分割された２つのコイル部分の一方に生じた電力を前記駆動系に、他方に生じた電力を前記制御系に供給することを特徴とする発明５に記載のカメラの付属装置。
【００６８】
〔発明７〕
前記カメラとの間で通信を行うための通信手段と、前記駆動系に供給されている電圧を検知する電圧検知手段とを有し、
前記電圧検知手段による検知結果を示す信号を前記通信手段を介して前記カメラに送信することを特徴とする発明５又は６に記載のカメラの付属装置。
【００６９】
〔発明８〕
前記カメラとの間で通信を行うための通信手段と、前記制御系に供給されている電圧を検知する電圧検知手段とを有し、
前記電圧検知手段による検知結果を示す信号を前記通信手段を介して前記カメラに送信することを特徴とする発明５又は６に記載のカメラの付属装置。
【００７０】
【発明の効果】
以上説明したように、本発明によれば、カメラから付属装置に電磁誘導により電力を供給する場合に、１つの受電手段により付属装置の駆動系および制御系の双方に電力を供給することができる。
【図面の簡単な説明】
【図１】本発明の第１実施形態であるカメラシステムの構成を示すブロック図。
【図２】上記カメラシステムにおけるレンズ電気系での受電動作を説明するためのフローチャート。
【図３】上記カメラシステムにおけるカメラ電気系での電力調節動作を説明するためのフローチャート。
【図４】上記第１実施形態における電源系回路図。
【図５】本発明の第２実施形態であるカメラシステムの構成を示すブロック図。
【図６】上記第２実施形態のカメラシステムにおけるレンズ電気系での受電動作を説明するためのフローチャート。
【図７】上記第２実施形態のカメラシステムにおけるカメラ電気系での電力調節動作を説明するためのフローチャート。
【図８】上記第２実施形態における電源系回路図。
【符号の説明】
１０１，４０１，５０１，８０１  レンズマイコン
１０２，４０６，５０２，８０６  駆動系
１０３，４０３，５１４，８０３  電圧検出部
１０４，５０４  レンズ電気系
１０５ａ，１０５ｄ，５０５ａ，５０５ｄ  フォトダイオード
１０５ｂ，１０５ｃ，５０５ｂ，５０５ｃ  発光ダイオード
１０６，４０２，５０６，８０２  カメラマイコン
１０７，４０５，５０７，８０５  電圧調整部
１０８，５０８  カメラ電気系
１０９，５０９  測距部
１１０，５１０  測光部
１１１，５１１  シャッタ部
１１２，５１２  表示部
１１３，５１３  その他の制御部
１１４，４０４，５０３，８０４  電圧制御部
１１５，４０８，５１５，８０８  電池
１１６，１１７，５１６，５１７  インターフェイス
１０５ｅ，５０５ｅ  受電コイル
１０５ｆ，５０５ｆ  送電コイル
Ｌ，Ｌ’  交換レンズ
Ｈ，Ｈ’  カメラ
【図１】
2004187418.tif 000003
【図２】
2004187418.tif 000004
【図３】
2004187418.tif 000005
【図４】
2004187418.tif 000006
【図５】
2004187418.tif 000007
【図６】
2004187418.tif 000008
【図７】
2004187418.tif 000009
【図８】
2004187418.tif 000010